(57)【要約】  本方法は、２つのサーバ間のトランザクションを実行する（Ｅ１００）前に、各サーバおよび携帯端末間の無線通信ネットワークの通信チャネルをセットアップする（Ｅ１０）。前記サーバの一方は、無線通信チャネルを介して信号を送信する（Ｅ３０）。前記信号は、サーバを具備する無線通信において携帯端末によって受信され（Ｅ４０）、前記携帯端末のラウドスピーカによって出力され（Ｅ５０）、もう一方の携帯端末のマイクロフォンによって受信されるとともに（Ｅ６０）、無線通信によってもう一方のサーバに送信される（Ｅ６０，Ｅ７０）。受信信号が、２つのサーバの一方または両方によって認証された場合（Ｅ９０）、トランザクションが実行される（Ｅ１００）。
2009528607.tif 000002
【特許請求の範囲】
【請求項１】
第１通信ネットワーク（１）の第１サーバ（１０１）および第２サーバ（１０２）間でトランザクションを実行する方法において、
前記トランザクションを実行するステップ（Ｅ１００）の前に、
・前記第１サーバ（１０１）および第１携帯端末（１１）間の無線通信ネットワーク（２）の第１通信チャネル（Ｃ１）をセットアップするステップ（Ｅ１０）と、
・前記第２サーバ（１０２）および第２携帯端末（１２）間の前記無線通信ネットワーク（２）の第２通信チャネル（Ｃ２）をセットアップするステップ（Ｅ１０）と、
・前記第１サーバ（１０１）が、前記第１無線通信チャネル（Ｃ１）を介して信号（Ｓ）を送信するステップ（Ｅ３０）と、
・前記第２携帯端末（１２）が、前記信号（Ｓ）を受信するとともに（Ｅ６０）、前記第２無線通信チャネル（２）を介して前記信号（Ｓ）を送信する（Ｅ７０）ステップと、
・前記２つのサーバ（１０１，１０２）の一方または両方が、前記受信信号（Ｓ）の正当性を検証するステップ（Ｅ９０）と、
・前記認証の結果に応じて適用される、トランザクションを実行する前記ステップ（Ｅ１００）と
を具備し、
前記信号（Ｓ）は、前記第１携帯端末（１１）によって受信され（Ｅ４０）、第１携帯端末（１１）によって前記第２携帯端末（１２）に送信されるとともに（Ｅ５０）、前記第２サーバ（１０２）によって受信される（Ｅ８０）ことを特徴とする方法。
【請求項２】
前記携帯端末（１１，１２）は、前記信号（Ｓ）が、サーバ（１０１）から前記信号（Ｓ）を受信した携帯端末（１１）のラウドスピーカによって再現され、かつもう一方の携帯端末（１２）のマイクロフォンによって受信される（Ｅ６０）ように、配置される（Ｅ２０）ことを特徴とする請求項１に記載の方法。
【請求項３】
第１ユーザの口座と第２ユーザの口座との間で貨幣トランザクションを実行するための、請求項１または２のいずれか１項に記載の方法の使用であって、
前記口座は、前記第１および第２サーバ（１０１，１０２）によってそれぞれ管理され、
前記トランザクションは、前記各ユーザが、１つの携帯端末（１１，１２）と、前記サーバの一方との間の無線通信ネットワーク（２）の通信チャネル（Ｃ１，Ｃ２）を予めセットアップした（Ｅ１０）場合かつその場合に限り（Ｅ９０）、実行されるとともに、
前記端末（１１，１２）は、前記サーバの一方（１０１）によって送信された（Ｅ３０）信号（Ｓ）が、もう一方のサーバ（１０２）にルーティング（Ｅ４０−Ｅ８０）され、かつ前記サーバ（１０１，１０２）の一方または両方によって認証される（Ｅ９０）ように、互いに対して配置されることを特徴とする使用。
【請求項４】
無線通信ネットワーク（２）の第１電話サーバ（１０１）および第１携帯端末（１１）の間でセットアップされた（Ｅ１０）電話接続（Ｃ１）を、無線通信ネットワーク（２）の第２電話サーバ（１０２）と第２携帯端末（１２）との間でセットアップされた（Ｅ１０）電話接続（Ｃ２）に、再ルーティングするための、請求項１または２に記載の方法の使用であって、
前記再ルーティングは、前記サーバの一方（１０１）によって送信された（Ｅ３０）信号（Ｓ）が、もう一方のサーバ（１０２）にルーティングされ（Ｅ４０−Ｅ８０）、かつ前記サーバ（１０１，１０２）の一方または両方によって認証される（Ｅ９０）ように、前記端末（１１，１２）が互いに対して配置される場合かつその場合に限り（Ｅ９０）、実行されることを特徴とする請求項１または２に記載の方法の使用。
【請求項５】
第１通信ネットワーク（１）に接続されたサーバ（１０１）であって、
・携帯端末（１１）によって、無線通信ネットワーク（２）の通信チャネル（Ｃ１）をセットアップする（Ｅ１０）手段と、
・前記無線通信チャネル（Ｃ１）を介して、信号（Ｓ）を前記第１通信ネットワーク（１）に接続された第２サーバ（１０２）に送信する手段と、
・前記信号が、前記サーバ（１０１，１０２）の一方または両方によって認証されている場合かつその場合に限り、前記第２サーバ（１０２）によってトランザクション（Ｅ１００）を認証する手段と
を具備することを特徴するサーバ。
【請求項６】
第１通信ネットワーク（１）の第２サーバ（１０２）によるトランザクションの認証に対して、第１サーバ（１０１）によって使用される方法であって、
・携帯端末（１１）によって、無線通信ネットワーク（２）の通信チャネル（Ｃ１）をセットアップする（Ｅ１０）ステップと、
・前記無線通信チャネル（Ｃ１）を介して、前記第２サーバに信号（Ｓ）を送信するステップ（Ｅ３０）と、
・前記信号が、前記第２サーバによって受信され（Ｅ８０）、かつ前記サーバ（１０１，１０２）の一方または両方によって認証された場合に、前記トランザクションを認証するステップ（Ｅ１００）と
を具備することを特徴とする方法。
【請求項７】
コンピュータによって実行されるプログラムであって、
請求項６に記載の認証方法のステップを実行する命令を具備することを特徴とするコンピュータプログラム。
【請求項８】
請求項６に記載の認証方法のステップを実行する命令を具備するコンピュータプログラムが格納されたコンピュータ読み取り可能な記録媒体。
【発明の詳細な説明】
【技術分野】
【０００１】
本発明は、あらゆる種類の通信ネットワークを経由して相互に接続された２つのサーバ間でトランザクションを実行することに関し、さらに詳細には、２人の携帯ユーザが関与するトランザクションに関する。
【背景技術】
【０００２】
本発明は、特に、２つのサーバがインターネットを経由して相互に接続される場合に、適合している。
【０００３】
本明細書において、用語「トランザクション」は、広範な意味で理解される。それは、一方または両方のサーバの事前認証の対象であり、２つのサーバ間で実行されるべき処理を指している。
【０００４】
たとえば、用語「トランザクション」は、２つの各サーバが、ユーザの口座を管理するとともに、一方の口座からもう一方の口座への送金が実行される前に認証を得る必要がある、貨幣トランザクションを包含している。
【０００５】
用語「トランザクション」は、特に請求目的に対して、一方または両方のサーバの明確な認証に続いて、電話サーバによって管理される電話呼を第２電話サーバに再ルーティングすることを同様に包含している。
【０００６】
本発明は、実際には両方のサーバが１つまたは同一である場合にも、同様に適合している。この状況は、たとえば、同一のサーバが、２人のユーザの銀行口座を管理する場合、この状況において同一のサーバによって管理されている前記２つの口座間で送金を実行するのに必要な認証を生じる。
【０００７】
本発明をより理解できるように、自身の口座から近くにいる人の口座に資金を送金することを望んでいる人物を例にとる。現在の技術では、第１人物は、たとえば、インターネットを経由して、銀行口座を管理するサーバに接続するとともに、次に送金の受け取り先の銀行の詳細を入力することによって、送金を指示する。
【０００８】
この手法は、ミスの危険が付随しながら、受け取り先の銀行の詳細を入力する必要があるため、携帯ユーザにとっては非常に厄介である。
【発明の開示】
【発明が解決しようとする課題】
【０００９】
したがって、本発明の主要な目的は、２人の携帯ユーザを包含するトランザクションを実行する方法を提案することによって、上述した欠点を緩和することである。
【課題を解決するための手段】
【００１０】
さらに厳密には、本発明は、第１通信ネットワークの第１サーバおよび第２サーバ間のトランザクションを実行する方法に関する。本方法は、トランザクションを実行する前に以下のステップを具備している。
・前記第１サーバおよび第１携帯端末間の無線通信ネットワークの第１通信チャネルをセットアップするステップ。
・前記第２サーバおよび第２携帯端末間の無線通信ネットワークの第２通信チャネルをセットアップするステップ。
・前記第１サーバが、第１無線通信チャネルを介して信号（第１携帯端末によって受信されるとともに、第１携帯端末によって第２携帯端末に送信される）を送信するステップ。
・前記第２携帯端末が、信号を受信するとともに、第２無線通信チャネルを介して第２サーバに送信するステップ。
・前記２つのサーバの一方または両方が、受信信号の正当性を検証するステップ。
・前記検証の結果に応じて適用される、トランザクションを実行するステップ。
【００１１】
したがって、概略的に、トランザクションは、前記サーバの一方によって生成された信号が、第２サーバを具備するループを回る場合に、２つのサーバ間で実行することができ、２つの携帯通信チャネルを使用する前記ステップは、一方のサーバと１つの携帯端末との間をそれぞれセットアップするとともに、前記チャネルは、２つの端末間のギャップによって分離される。
【００１２】
前記ループを回る信号に対して、２つの携帯端末は、互いに近くにあるとともに、第１携帯によって送信された信号は、良好な状態下で第２携帯によって受信されるようになっていることが明らかに必要であり、そうでない場合、信号が良好な状態下で第２サーバによって受信されないため、トランザクションは拒絶される。
【００１３】
したがって、典型的に前記トランザクションの２人の当事者に属する２つの端末を互いに近くに配置することは、トランザクションを実行するための準備を明示することを可能にする。
【００１４】
本発明によって、トランザクションに関与する人々が、明確に認証される必要がなくなり、ＧＳＭプロトコルのセキュリティ層が認証を行うとともに、トランザクションを安全にする。
【００１５】
したがって、前記ユーザの詳細を入力する場合、ミスの危険がなくなる。
【００１６】
さらに、前記２つのサーバのうちの一方によって送信される信号は、好ましくは、非常に長い符号（実際に破られず、何れのイベントにおいても、標準のパスワードベース認証メカニズムで使用される符号よりも非常に長いもの）を搬送することができる。
【００１７】
本発明の方法は、専用のハードウェア（カードリーダなど）もユーザの携帯端末に追加するソフトウェアも必要としないという利点を有している。その結果、第１および第２通信チャネルは、様々なオペレータによってセットアップすることができるとともに、携帯端末は、様々なメーカー製のものであることができる。
【００１８】
好ましい一実施例では、前記サーバから携帯端末に受信され、前記携帯端末のラウドスピーカによって再現された信号が、もう一方の携帯端末のマイクロフォンによって受信されるように、携帯電話が配置される。
【００１９】
したがって、この特定の実施例では、前記第１携帯端末のラウドスピーカが第２端末のマイクロフォンから非常に近距離にあるように、端末を頭−尾（head-to-tail）に配置することが必要であり、そうでない場合、背景雑音が信号を劣化させるため、第２サーバによるエラーが考慮される。
【００２０】
この非常に近距離にあることは、悪意のある第三者が、前記第１携帯端末によるシステム出力を受信することを防止する。
【００２１】
本発明は、前記第１通信ネットワークに接続されたサーバと、以下の手段とを同様に提供する。
・前記携帯端末によって無線通信ネットワークの通信チャネルをセットアップする手段。
・前記無線通信チャネルを介して、第１通信ネットワークに接続された第２サーバに信号を送信する手段。
・前記信号が、一方または両方のサーバによって認証された場合かつその場合に限り、第２サーバによってトランザクションを認証する手段。
【００２２】
これに相関して、本発明は、前記第１サーバによって使用することができ、第１通信ネットワークの第２サーバによってトランザクションを認証する方法を指向するとともに、以下のステップを具備している。
・前記携帯端末を使用して無線通信ネットワークの通信チャネルをセットアップするステップ。
・前記無線通信チャネルを介して第２サーバに信号を送信するステップ。
・前記信号が、第２サーバによって受信され、かつ一方または両方のサーバによって認証された場合に、トランザクションを認証するステップ。
【００２３】
好ましい実施構成では、前記認証過程の様々なステップは、コンピュータプログラムの命令によって定められる。
【００２４】
その結果、本発明は、データ媒体上のコンピュータプログラムを同様に指向し、前記プログラムは、サーバ、またはより一般的にはコンピュータで実行できるとともに、上記認証方法のステップを実行するように構成された命令を具備している。
【００２５】
前記プログラムは、プログラム言語を使用するとともに、ソースコード、オブジェクトコード、部分的にコンパイルされた形式のようなソースコードとオブジェクトコートとの中間的なコード、または他の好ましい形式をとることができる。
【００２６】
本発明は、前記コンピュータプログラムの命令を具備する、コンピュータ読み取り可能なデータ媒体を同様に指向している。
【００２７】
前記データ媒体は、プログラムを格納することができる装置のエンティティであってよい。たとえば、媒体は、リードオンリーメモリ（ＲＯＭ）（たとえば、ＣＤ−ＲＯＭまたはマイクロ電子回路ＲＯＭ）、のような記録手段、あるいは磁気記録手段（たとえば、フロッピー（登録商標）またはハードディスク）を具備することができる。
【００２８】
さらに、前記データ媒体は、電気信号または光信号のような送信可能な媒体であってもよく、無線または他の手段によって、電気ケーブルまたは光ケーブルを経由してルーティングすることができる。本発明のプログラムは、特にインターネット型ネットワークを介してダウンロードすることができる。
【００２９】
代替として、前記データ媒体は、プログラムが組み込まれた統合回路であってもよく、回路は、本方法を実行する、またはその実行に使用されるように構成されている。
【００３０】
本発明は、前記第１ユーザの口座と第２ユーザの口座との間の貨幣トランザクションを実行する上記方法の使用を同様に指向し、前記口座は、第１および第２サーバによってそれぞれ管理され、前記トランザクションは、両ユーザが、各携帯端末と各サーバの一方との間の無線通信ネットワークの通信チャネルを予めセットアップしているとともに、一方のサーバによって送信された信号が、もう一方のサーバにルーティングされ、かつ一方または両方のサーバによって認証されるように、前記端末が互いに配置されている場合かつその場合に限り、実行される。
【００３１】
本発明は、前記無線通信ネットワークの第１電話サーバと第１携帯端末との間にセットアップされる電話接続を無線通信ネットワークの第２電話サーバと第２携帯端末との間にセットアップされる電話接続に再ルーティングする上記方法の使用をさらに指向し、前記再ルーティングは、一方のサーバによって送信された信号が、もう一方のサーバにルーティングされ、かつ一方または両方のサーバによって認証されるように、端末が互いに対して配置されている場合かつその場合に限り、実行される。
【発明の効果】
【００３２】
この使用は、前記ユーザによって携帯端末上に受信される呼が、近くにいるもう一方のユーザの携帯端末に再ルーティングされるのを可能にする利点を有している。
【００３３】
一旦この再ルーティングが実行されると、前記第１ユーザによってセットアップされた電話呼は終了し、前記ユーザは、携帯端末のスイッチを切る、または携帯端末を他の目的で使用することができる。
【発明を実施するための最良の形態】
【００３４】
本発明の他の特徴および利点は、本発明の非限定的な一実施例を示す添付の図面への参照とともに与えられる、以下の記載から明らかである。
【００３５】
図１は、これらの環境で、本発明によるトランザクションを実行する２つのサーバを示している。
【００３６】
図２は、トランザクションを実行する本発明の方法の好ましい実施例の主要なステップをフローチャートで示している。
【００３７】
第１実施例の詳細な記載
図１は、第１通信ネットワーク１を経由して相互に接続された２つのサーバ１０１，１０２を示している。
【００３８】
本明細書に記載された本実施例では、前記通信ネットワーク１は、インターネットである。
【００３９】
本実施例では、前記サーバ１０１，１０２は、各第１および第２ユーザの各銀行口座を管理することを仮定する。
【００４０】
本実施例では、前記第２ユーザが、ある金額を第１ユーザの口座に送金することを望んでいると仮定する。
【００４１】
この処理は、前記両ユーザによる明確な認証に対して、２つのサーバの対象間のトランザクションにおいて実行される。
【００４２】
本実施例に記載されたシナリオは、前記２人のユーザが互いに近く（たとえば、同じ部屋）にいることを仮定する。
【００４３】
前記各ユーザは、図１の参照符号１１，１２で区別される携帯端末を有している。
【００４４】
トランザクションを実行するため、前記携帯端末１１を使用する第１ユーザは、サービスに対応する電話番号を発呼することによって、第１サーバ１０１を用いて無線通信ネットワーク２の第１通信チャネルＣ１をセットアップすることを仮定する。
【００４５】
前記第１チャネルをセットアップするステップは、図２のフローチャートに示されているトランザクションを実行する本発明の方法のステップＥ１０の一部である。
【００４６】
本実施例に記載されたシナリオでは、前記第１サーバ１０１は、第１通信チャネルＣ１を介して音声メッセージを第１ユーザに送信し、サービスの選択を確認するため携帯端末１１上の所定のキーを押すように促す。
【００４７】
次に、前記第１ユーザが端末１１上の前記キーを押すと、第１サーバ１０１に送信されるデュアルトーン多重周波数（ＤＴＭＦ）符号が発生する。
【００４８】
次に、前記第１サーバ１０１は、第1ユーザに、トランザクションを共に実行したい第２ユーザの端末１０２の番号を、第１通信チャネルＣ１を経由して送信するように促す音声メッセージを送信する。
【００４９】
本実施例に記載されたシナリオでは、前記第１ユーザは端末１１上のキーパッドに前記番号を入力し、前記番号は、ＤＴＭＦ符号列の形式で第１サーバ１０１に第１通信チャネルＣ１を経由して送信される。
【００５０】
本実施例では、前記第１サーバ１０１は、前記番号を使用して、第２ユーザの口座を管理する第２サーバ１０２の第１通信ネットワーク内のアドレスを得るデータベースを具備している。
【００５１】
前記第１サーバ１０１は、第１通信ネットワークを介して、メッセージを第２サーバ１０２に送信することによって、２つのサーバ間でトランザクションが実行されることを通知する。
【００５２】
本発明によれば、同じステップＥ１０の間に、前記第２サーバ１０２は、第２ユーザの携帯端末１２によって、無線携帯通信ネットワーク２の第２通信チャネルＣ２をセットアップする。
【００５３】
次に、この状況は、以下のとおりである。
・前記第１無線通信チャネルは、第１端末１１および第１サーバ１０１間でセットアップされている
・インターネット接続は、前記第１サーバ１０１および第２サーバ１０２間でセットアップされている。
・前記第２無線通信チャネルＣ２は、第２サーバ１０２と第２ユーザの携帯端末１２との間でセットアップされている。
【００５４】
次に、前記２つのサーバのうちの一方（たとえば、第２サーバ１０２）は、無線通信チャネルＣ２をセットアップした携帯端末１２のユーザに、携帯端末１２のマイクロフォンをもう一方の携帯端末１１のラウドスピーカに近づけるように、促す。
【００５５】
次に、前記端末１１，１２は、適切に配置される（ステップＥ２０）と仮定する。
【００５６】
所定の遅延の後、前記第１サーバ１０１は、第１無線通信チャネルＣ１で信号Ｓを送信する（ステップＥ３０）。
【００５７】
前記信号Ｓは、ステップＥ４０で、第１携帯端末１１によって受信されるとともに、端末１１のラウドスピーカによって再現される（ステップＥ５０）。
【００５８】
前記端末１２のマイクロフォンが、端末１１のラウドスピーカの近くに配置されていると仮定すると、信号Ｓは、ステップＥ６０の間に、第２携帯端末１２によって受信される。
【００５９】
次に、前記信号Ｓは、第２無線通信チャネル２を経由して第２サーバ１０２にルーティングされる。
【００６０】
前記第２サーバ１０２は、ステップＥ８０の間に、信号Ｓを受信する。
【００６１】
前記２つの携帯端末は、互いに近くに配置されているため、当然、前記信号Ｓは、第２サーバによって明らかに受信され、非常に特有な配置例では、端末１２のマイクロフォンが、端末１１のラウドスピーカによって再現された信号Ｓを受信するのを可能にする。
【００６２】
ステップＥ９０の間に、前記２つのサーバ１０１，１０２の一方または両方は、受信信号Ｓの正当性を検証する。
【００６３】
好ましい実施例では、前記第２サーバ１０２によって受信された信号は、第１ネットワーク１によって第１サーバ１０１に送信され、前記信号を上記の送信ステップＥ３０で送信された信号Ｓと比較することが可能である。
【００６４】
異なる実施例では、前記第２サーバ１０２自体が、ステップＥ８０の間に受信された信号Ｓが正当であるかどうかを検証する。
【００６５】
このように、前記信号Ｓが、サーバ１０１，１０２の一方または両方によって認証された場合、サーバは、携帯端末１１，１２のユーザが、トランザクションの実行に同意したものと判断する。
【００６６】
その結果、前記サーバ１０１，１０２は、ステップＥ１００の間に、トランザクションを実行する。
【００６７】
本明細書に記載された本実施例では、このトランザクションは、第１サーバ１０１にトランザクションの金額を表すデータＤを送信する第２サーバ１０２の材料形態（material form）をとる。
【００６８】
第２実施例の詳細な記載
前記サーバ１０１が、第１および第２ユーザの銀行口座を管理する本発明の第２実施例を、以下に記載する。
【００６９】
前記ステップＥ１０の間に、第１端末１１のユーザは、サーバ１０１によって第１通信チャネルＣ１をセットアップし、かつ前記チャネルを経由して、第２ユーザの口座に送金したい金額を通信する（たとえば、第１端末１１のキーパッド上に入力されたトランザクションの金額に対応するＤＴＭＦ符号列を送信することによって）。
【００７０】
このシナリオでは、前記サーバ１０１は、前記ユーザに、トランザクションの受け取り先の端末１０２の番号を通信するように促すメッセージを送信しないが、稀に、第１端末１１のユーザに、端末１１をトランザクションの受け取り先の端末１２に近づけるように促す。
【００７１】
このシナリオでは、前記第２端末１２のユーザは、このサービスに対応する電話番号を予め発呼しており、同じサーバ１０１によって第２通信チャネルＣ２をセットアップしたと仮定する。さらに、第２端末１２のユーザは、自身の口座に送金を受けたい旨を示すＤＴＭＦ符号をサーバ１０１に送信したと仮定する。そのような要求を受信すると、サーバ１０１は、第２端末のユーザに端末１２をトランザクションの相手の端末１１に近づけるように促す。
【００７２】
頭−尾に配置された前記端末（ステップＥ２０）により、サーバ１０１によって第１無線通信チャネルＣ１を介して送信された（ステップＥ３０）信号Ｓは、第２端末１２によってセットアップされた第２通信チャネルＣ２を介して同じサーバ１０１によって、受信される（ステップＥ８０）。
【００７３】
次に、前記サーバ１０１は、第２通信チャネルを介して受信された信号Ｓが、第１端末１１に送信された（ステップＥ３０）信号と一致するかどうか検証することができる（ステップＥ９０）。次に、トランザクションは、認証される（ステップＥ１００）。
【００７４】
このシナリオでは、前記第１端末１１のユーザは、トランザクションの相手の端末１２の電話番号を知っている必要がなく、サーバ１０１は、たとえば、通信チャネルＣ１，Ｃ２をセットアップする間に得られる端末１１，１２の番号から、両者を認証するのに適している。
【００７５】
第３実施例の詳細な記載
本発明の方法の第３実施例を以下に記載する。
【００７６】
本実施例では、前記携帯端末１１のユーザは、第三者による電話回線内にあり、呼は、第１サーバ１０１によって管理されることを仮定する。さらに、サーバ１０１および携帯端末１１間の無線通信チャネルＣ１は、ステップＥ１０の間に、セットアップされたと仮定する。
【００７７】
通話の間に、前記携帯端末１１のユーザは、実行中の電話呼を近くにいるユーザの携帯端末１２に再ルーティングすることを決める。
【００７８】
このシナリオでは、前記携帯端末１１のユーザは、このサービスに対応する所定のキー列を押す。
【００７９】
前記キー列は、ＤＴＭＦ符号列の形式で、第１サーバ１０１によって受信される。
【００８０】
前記所定のキー列を受信すると、第１サーバ１０１は、第１携帯端末１１によってセットアップされた通信チャネルＣ１を使用して、呼が再ルーティングされるべき携帯電話の番号を送信するように要求する。
【００８１】
前記携帯端末の番号は、携帯端末１１のユーザによってキーパッド上に入力されることを仮定する。
【００８２】
次に、前記番号は、第１無線通信チャネルＣ１を経由して、第１サーバ１０１によって受信される。
【００８３】
前記２人のユーザは、互いに近くにいるため、第１サーバ１０１が、第２ユーザの携帯端末によって第２無線通信チャネルを開くことができる可能性は高い。
【００８４】
これは事実であり、かつ前記第１サーバ１０１は、本発明の方法の同じステップＥ１０の間に、前記チャネルＣ２をセットアップすることを仮定する。
【００８５】
上記したように、次に前記第１サーバ１０１は、たとえば一方のラウドスピーカがもう一方のマイクロフォンと向かい合うように、携帯端末１１，１２の頭−尾を配置することを、第２携帯端末１２のユーザに促す。
【００８６】
前記端末１１，１２は、ステップＥ２０の間に、正しく配置される。
【００８７】
次に、前記ステップＥ３０の間に、サーバ１０１は、たとえば第１携帯端末１１に、信号Ｓを送信し、信号Ｓは、端末１１によって受信され（ステップＥ４０）、そのラウドスピーカによって再現されるとともに（ステップＥ５０）、もう一方の携帯端末１２のマイクロフォンによって受信される（ステップＥ６０）。
【００８８】
次に、前記信号は、第２携帯通信チャネルＣ２を経由して第１サーバ１０１に達し（ステップＥ７０，Ｅ８０）、前記サーバは、その正当性を検証することができる（ステップＥ９０）。
【００８９】
前記信号Ｓが認証された場合、それは、サードパーティによる電話呼が、第１携帯端末１１から第２携帯端末１２に再ルーティングされることに、携帯端末１１，１２のユーザが、同意したことを示す。
【００９０】
したがって、前記第１サーバ１０１は、ステップＥ１００の間に、前記再ルーティングを実行する。
【００９１】
本明細書に記載された何れの実施例でも、前記信号Ｓは、一方の端末のラウドスピーカによって再現されるとともに、もう一方の端末のマイクロフォンによって受信される。
【００９２】
代替として、他の超近距離通信技術、特に赤外線またはデジタル無線技術（たとえば、ワイファイ（ＷｉＦｉ）またはブルートゥース標準に適合した技術）を信号Ｓの送信に使用することができる。
【図面の簡単な説明】
【００９３】
【図１】本発明によるトランザクションを行う２つのサーバを示す図である。
【図２】トランザクションを実行する本発明の方法の好ましい実施例の主要なステップを示すフローチャートである。
【符号の説明】
【００９４】
１  第１無線通信ネットワーク
２  第２無線通信ネットワーク
１１  第１携帯端末
１２  第２携帯端末
１０１  第１サーバ
１０２  第２サーバ
Ｃ１  第１通信チャネル
Ｃ２  第２通信チャネ
Ｄ  データ
Ｓ  信号
Ｅ１０  チャネルＣ１，Ｃ２をセットするステップ
Ｅ２０  端末１１，１２を配置するステップ
Ｅ３０  第１サーバが、第１通信チャネルＣ１を介して信号Ｓを送信するステップ
Ｅ４０  第１携帯端末１１が、信号Ｓを受信するステップ
Ｅ５０  第1携帯端末１１のラウドスピーカが、信号Ｓを出力するステップ
Ｅ６０  第２携帯端末１２のマイクロフォンが、信号Ｓを受信するステップ
Ｅ７０  第２携帯端末１２が、第２通信チャネルＣ２を介して信号Ｓを送信するステップ
Ｅ８０  第２サーバ１０２が、信号Ｓを受信するステップ
Ｅ９０  信号Ｓが、正当であるかどうかを検証するステップ
Ｅ１００  トランザクションを実行するステップ
【図１】
2009528607.tif 000003
【図２】
2009528607.tif 000004
【手続補正書】
【提出日】平成20年11月4日(2008.11.4)
【手続補正１】
【補正対象書類名】明細書
【補正対象項目名】００２０
【補正方法】変更
【補正の内容】
【００２０】
この非常に近距離にあることは、悪意のある第三者が、前記第１携帯端末による信号出力を受信することを防止する。
【国際調査報告】
2009528607.tif 000005
2009528607.tif 000006
2009528607.tif 000007
2009528607.tif 000008